(57)【要約】【課題】振動体の振動音を抑制しながら、振動体の振動によって人体の頭頚部を刺激する頭頚部刺激ユニットを提供する。【解決手段】筐体（１）と、両端が前記筐体に挟み込まれた、弾性かつ磁性を有する振動体（３、４）と、前記振動体に対して前記挟み方向に並んで配置される、コイル（５ｂ）を巻き回したボビン（５）とを有し、前記振動体は、前記コイルに対して通電すると、前記ボビンに吸引されて前記挟み方向のうち一方向に弾性変形し、該一方向に弾性変形した状態で前記コイルへの通電を絶つと、弾性力により前記一方向とは反対の他方向に弾性変形し、前記振動体は、前記一方向に弾性変形した前記振動体の弾性力により、前記ボビンへの吸着が阻止されることを特徴とする頭頚部刺激ユニット。【選択図】図４
2008194226.tif 000002
【特許請求の範囲】
【請求項１】
寝具に設けられた振動体を振動させることにより使用者を睡眠に導く睡眠誘導装置であって、
第１の鉄板と、筒状にコイルが巻き回されたコイル部材と、第２の鉄板と、非磁性部材と、永久磁石とを並設してなる前記振動体と、
前記振動体の前記並設方向における一端側から他端側に延びる貫通路内を移動可能な可動鉄芯と、
前記コイルへの通電を制御する通電制御回路とを有し、
前記可動鉄芯は、前記通電制御回路により前記コイルへの通電を禁止した場合には、前記永久磁石に吸引されることにより、前記永久磁石に形成された前記貫通路内の第１の位置に向かって前記振動体に対して相対移動し、前記通電制御回路により前記コイルへの通電を許可した場合には、前記永久磁石に反発して、前記第１の鉄板に形成された前記貫通路内の第２の位置に向かって前記振動体に対して相対移動することを特徴とする睡眠誘導装置。
【請求項２】
前記可動鉄芯は、大径部と、この大径部よりも径の小さい第１の小径部と、この第１の小径部よりも前記第２の鉄板に近い領域に形成され、前記大径部よりも径の小さい第２の小径部とを含み、
前記第１の位置に前記可動鉄芯が位置する状態で、前記第２の小径部は、前記第２の鉄板よりも前記第１の鉄板に近い領域に位置しており、
前記第２の位置に前記可動鉄芯が位置する状態で、前記第１の小径部は、前記第１の鉄板よりも前記第２の鉄板に近い領域に位置していることを特徴とする請求項１に記載の睡眠誘導装置。
【請求項３】
前記コイル部材の前記貫通路は、前記コイル部材の外側に突出する筒状のボビンによって構成されており、
前記第２の鉄板、前記非磁性部材及び前記永久磁石に形成された前記貫通路内に前記ボビンを挿入することにより、前記第２の鉄板、前記非磁性部材及び前記永久磁石を位置決めしていることを特徴とする請求項２に記載の睡眠誘導装置。
【請求項４】
前記第１の鉄板は、前記コイル部材、前記第２の鉄板、前記非磁性部材及び前記永久磁石を収容する収容ケース体の一部を兼ねていることを特徴とする請求項１乃至３のうちいずれか一つに記載の睡眠誘導装置。
【請求項５】
前記通電制御回路は、脳波のデルタ波帯域に属する第１の周波数から該第１の周波数よりも低い第２の周波数まで連続的に漸減する第１の出力信号と、１ＨＺよりも周波数が低い特定の第２の出力信号と、第１の時間だけ前記コイルへ通電し、該第１の時間が経過した後に該第１の時間よりも長い第２の時間だけ前記コイルへの通電を停止し、該第２の時間が経過した後に該第１の時間と同じ第３の時間だけ前記コイルへ通電し、該第３の時間が経過した後に該第２の時間よりも長い第４の時間だけ前記コイルへの通電を停止する周期パターンを有する第３の出力信号とを出力可能であり、前記第１、第２及び第３の出力信号を選択的に切替可能な切替部を有することを特徴とする請求項１乃至４のいずれか一つに記載の睡眠誘導装置。
【請求項６】
請求項１乃至５のうちいずれか一つに記載の睡眠誘導装置を有する寝具。
【請求項７】
前記寝具は、枕、布団及びシートのいずれかであることを特徴とする請求項６に記載の寝具。
【発明の詳細な説明】
【技術分野】
【０００１】
本発明は、寝具に設けられた振動体を振動させることにより使用者を睡眠に導く睡眠誘導装置に関する。
【背景技術】
【０００２】
近年、不眠状態を解消するために様々な提案がなされており、例えば、ストレスパターン、疲労パターン及び健康パターンのいずれかのパターンで振動する振動体をマットレスに内蔵した睡眠誘導装置が提案されている（特許文献１参照）。この睡眠誘導装置によれば、各個人の生体の状態に応じて、ストレスパターン、疲労パターン及び健康パターンのいずれかの刺激パターンを選択することができる。
【０００３】
また、別の睡眠誘導装置として、ホワイトノイズ回路と、このホワイトノイズを入力としてパワースペクトルが１／ｆ特性を有する音声フィルタと、音声出力を時間経過と共に変化させる制御回路とを備えた入眠装置が組み込まれた枕が提案されている（特許文献３参照）。
【特許文献１】特許第２５４２３３４号明細書
【特許文献２】特開昭６２−２６６０７６号公報
【特許文献３】特開２０００−１０６９９８号公報
【発明の開示】
【発明が解決しようとする課題】
【０００４】
寝具に睡眠誘導装置としての振動体を組み込む場合には、振動体の振動音が異音となって直接聴覚に伝達されるため、高い入眠効果を得るためには、振動体の振動音を抑制する必要がある。しかしながら、特許文献１に記載の入眠装置は、振動体の振動音を抑制する方法について何ら考慮されていない。
【０００５】
さらに、特許文献３には、２０HZ以下の周期で振動する機械的振動子を両耳の間の後頭部に対応した位置に配置されるように装着した睡眠枕が開示されているが、振動音を抑える機械的構成について開示がない。
【課題を解決するための手段】
【０００６】
上記課題を解決するために、本願発明の睡眠誘導装置は、寝具に設けられた振動体を振動させることにより使用者を睡眠に導く睡眠誘導装置であって、第１の鉄板と、筒状にコイルが巻き回されたコイル部材と、第２の鉄板と、非磁性部材と、永久磁石とを並設してなる前記振動体と、前記振動体の前記並設方向における一端側から他端側に延びる貫通路内を移動可能な可動鉄芯と、前記コイルへの通電を制御する通電制御回路とを有し、前記可動鉄芯は、前記通電制御回路により前記コイルへの通電を禁止した場合には、前記永久磁石に吸引されることにより、前記永久磁石に形成された前記貫通路内の第１の位置に向かって前記振動体に対して相対移動し、前記通電制御回路により前記コイルへの通電を許可した場合には、前記永久磁石に反発して、前記第１の鉄板に形成された前記貫通路内の第２の位置に向かって前記振動体に対して相対移動することを特徴とする。
【０００７】
ここで、前記可動鉄芯は、大径部と、この大径部よりも径の小さい第１の小径部と、この第１の小径部よりも前記第２の鉄板に近い領域に形成され、前記大径部よりも径の小さい第２の小径部とを含み、前記第１の位置に前記可動鉄芯が位置する状態で、前記第２の小径部は、前記第２の鉄板よりも前記第１の鉄板に近い領域に位置しており、前記第２の位置に前記可動鉄芯が位置する状態で、前記第１の小径部は、前記第１の鉄板よりも前記第２の鉄板に近い領域に位置している。
【０００８】
前記コイル部材の前記貫通路は、前記コイル部材の外側に突出する筒状のボビンによって構成されており、前記第２の鉄板、前記非磁性部材及び前記永久磁石に形成された前記貫通路内に前記ボビンを挿入することにより、前記第２の鉄板、前記非磁性部材及び前記永久磁石を位置決めすることができる。
【０００９】
前記可動鉄芯の前記大径部は、前記ボビンの内径よりも径寸法を小さくするのが好ましい。また、前記可動鉄芯と前記ボビンとの間に液状のシリコンを介在させるとよい。
【００１０】
前記可動鉄芯の表面に、前記可動鉄芯よりも摩擦係数の低い低摩擦部材を形成するとよい。前記低摩擦部材としては、フッ素樹脂を例示できる。
【００１１】
前記第１の鉄板は、前記コイル部材、前記第２の鉄板、前記非磁性部材及び前記永久磁石を収容する収容ケース体の一部を兼ねている。
【００１２】
前記通電制御回路は、脳波のデルタ波帯域に属する第１の周波数から該第１の周波数よりも低い第２の周波数まで連続的に漸減する第１の出力信号と、１ＨＺよりも周波数が低い特定の第２の出力信号と、第１の時間だけ前記コイルへ通電し、該第１の時間が経過した後に該第１の時間よりも長い第２の時間だけ前記コイルへの通電を停止し、該第２の時間が経過した後に該第１の時間と同じ第３の時間だけ前記コイルへ通電し、該第３の時間が経過した後に該第２の時間よりも長い第４の時間だけ前記コイルへの通電を停止する周期パターンを有する第３の出力信号とを出力可能であり、前記第１、第２及び第３の出力信号を選択的に切替可能な切替部を有することを特徴とする。
【００１３】
上記睡眠誘導装置は寝具の中に組み込むことにより使用され、前記寝具としては、枕、布団、シートを例示することができる。
【発明の効果】
【００１４】
本願発明によれば、可動鉄芯を停止部材に当接させることなく、第１の位置と第２の位置との間で移動させることができるため、振動体を静かに振動させることができる。これにより、入眠効果の高い睡眠誘導装置を提供することができる。
【発明を実施するための最良の形態】
【００１５】
以下、本発明の実施形態について図面を参照しながら詳細に説明する。
【実施形態】
【００１６】
図１は寝具の平面図であり、図２は睡眠誘導装置の斜視図であり、図３は睡眠誘導装置の分解斜視図であり、図４は図２の睡眠誘導装置のＡ−Ａ´断面図であり、図５は睡眠誘導装置の動作説明図である。
【００１７】
図１において、１は敷布団（寝具）であり、この敷布団１の上には枕（寝具）２が載置されている。使用者３は、枕２に後頭部を当接させた状態で上向きに寝ている。
【００１８】
敷布団１における使用者３の上腕部に対応した位置には、一対の睡眠誘導装置４が組み込まれている。
【００１９】
次に、図２乃至図５を参照しながら、睡眠誘導装置４の構成について説明する。１１は第１の鉄板（第１の鉄板）１１ａと、この第１の鉄板１１ａの端面からＸ軸方向（可動鉄芯１７の移動方向）に延びる一対の上下板１１ｂとからなるコの字状のケース体である。第１の鉄板１１ａ及び上下板１１ｂは一体形成されており、第１の鉄板１１ａの略中央にはケース貫通穴１１１ａが形成されている。ケース体１１の資材としては、鉄を使用している。
【００２０】
１２はコイル部材であり、このコイル部材１２のコイル１２ｂは筒管１２ａの外周面に巻き回されている。コイル１２ｂは後述する制御回路１４１に対して電気的及び機械的に接続されている。
【００２１】
筒管１２ａの一端面及び他端面（Ｘ軸方向の端面）にはそれぞれ、筒管１２ａよりも径寸法の大きい第１及び第２のフランジ部１２ｄ、１２ｅが形成されている。
【００２２】
コイル部材１２の内径部（貫通路）には、コイル部材１２の内径と外径が略等しい筒状のボビン１２ｃが圧入されている。このボビン１２ｃのＸ軸方向の寸法は筒管１２ａよりも長く設定されており、ボビン１２ｃは、第１の鉄板１１ａの板厚寸法分だけ第１のフランジ部１２ｄから突出しており、第２の鉄板１３、非磁性部材１４、永久磁石１５及び固定板１６の総厚み寸法分だけ第２のフランジ部１２ｅから突出している。
【００２３】
第１のフランジ部１２ｄから突出したボビン１２ｃの突出部分は、ケース貫通穴１１１ａ内に挿入されており、第１のフランジ部１２ｄは第１の鉄板１１ａのケース体１１内側の面に接触している。
【００２４】
第１のフランジ部１２ｄ及び第２のフランジ部１２eの直径寸法（Ｚ軸方向の寸法）は、一対の上下板１１ｂの間隔よりも短く設定されている。したがって、コイル部材１２は、一対の上下板１１ｂの間の空間内に中空支持された状態となっている。
【００２５】
第２の鉄板１３の中央には、径寸法がボビン１２ｃの外径寸法よりも僅かに大きい鉄板開口部１３ａが形成されている。この鉄板開口部１３ａには第２のフランジ部１２eから突出したボビン１２ｃの突出部分が挿入されている。
【００２６】
このように、鉄板開口部１３ａ内にボビン１２ｃを挿入させることにより、第２の鉄板１３に対してボビン１２ｃの長手方向に直交する方向（Ｘ軸に直交する方向）から外力が加わった際に、鉄板開口部１３ａの壁部にボビン１２ｃを当接させることができるため、第２の鉄板１３の位置ずれを確実に防止できる。
【００２７】
第２の鉄板１３のコイル部材１２側の端面は第２のフランジ部１２eに接触している。
【００２８】
第２の鉄板１３及び第１の鉄板１１ａのＹ軸方向（Ｚ軸に直交する方向）の寸法は同じに設定されている。したがって、第２の鉄板１３及び第１の鉄板１１ａのＹ軸方向の端面は同一面内に位置する。第２の鉄板１３のＺ軸方向の寸法と、一対の上下板１１ｂの間隔とは同じに設定されている。したがって、第２の鉄板１３のＺ軸方向の端面は、上下板１１ｂにおけるケース体１１内側の面に接触している。
【００２９】
非磁性部材１４の中央には、内径寸法がボビン１２ｃの外径寸法よりも僅かに大きく設定された非磁性部材開口部１４ａが形成されている。この非磁性部材開口部１４aには第２のフランジ部１２eから突出したボビン１２ｃの突出部分が挿入されている。非磁性部材１４の第２の鉄板１３側端面は第２の鉄板１３に接触している。非磁性部材１４は、磁性材料以外の材料で構成されており、本実施形態では真鍮を使用している。
【００３０】
このように非磁性部材開口部１４ａ内にボビン１２ｃを挿入させることにより、非磁性部材１４に対してボビン１２ｃの長手方向に直交する方向（Ｘ軸に直交する方向）から外力が加わった際に、非磁性部材開口部１４ａの壁部にボビン１２ｃを当接させることができるため、非磁性部材１４の位置ずれを確実に防止することができる。
【００３１】
非磁性部材１４及び第１の鉄板１１ａのＹ軸方向の寸法は同じに設定されている。したがって、非磁性部材１４及び第１の鉄板１１ａのＹ軸方向の端面は同一面内に位置する。非磁性部材１４のＺ軸方向の寸法と、一対の上下板１１ｂの間隔とは同じに設定されている。したがって、非磁性部材１４のＺ軸方向の端面は、上下板１１ｂのケース体１１内側の面に接触している。
【００３２】
永久磁石１５の中央には、内径寸法がボビン１２ｃの外径寸法よりも僅かに大きく設定された永久磁石開口部１５ａが形成されている。この永久磁石開口部１５aには第２のフランジ部１２eから突出したボビン１２ｃの突出部分が挿入されている。
【００３３】
このように永久磁石開口部１５ａ内にボビン１２ｃを挿入させることにより、永久磁石１５に対してボビン１２ｃの長手方向に直交する方向（Ｘ軸に直交する方向）から外力が加わった際に、永久磁石開口部１５ａの壁部にボビン１２ｃを当接させることができるため、永久磁石１５の位置ずれを確実に防止できる。
【００３４】
永久磁石１５の非磁性部材１４側の端面は非磁性部材１４に接触している。永久磁石１５及び第１の鉄板１１ａのＹ軸方向の寸法は同じに設定されている。
【００３５】
したがって、永久磁石１５及び第１の鉄板１１ａのＹ軸方向の端面は同一面内に位置する。永久磁石１５のＺ軸方向の寸法と、一対の上下板１１ｂの間隔とは同じに設定されている。したがって、永久磁石１５のＺ軸方向の端面は、上下板１１ｂにおけるケース体１１内側の面に接触している。
【００３６】
図３に図示するように、永久磁石１５は、Ｎ極に磁化されたハッチングで示すＮ極部１５ｂ（永久磁石開口部１５aを含む）と、Ｓ極に磁化されたＳ極部１５ｃとから形成されている。
【００３７】
固定板１６の中央には、内径寸法がボビン１２ｃの外径寸法よりも僅かに大きく設定された固定板開口部１６ａが形成されており、この固定板開口部１６ａには第２のフランジ部１２eから突出したボビン１２ｃの突出部分が挿入されている。
【００３８】
このように固定板開口部１６ａ内にボビン１２ｃを挿入させることにより、固定部材１６に対してボビン１２ｃの長手方向に直交する方向（Ｘ軸に直交する方向）から外力が加わった際に、固定板開口部１６ａの壁部にボビン１２ｃを当接させることができるため、固定板１６の位置ずれを確実に防止できる。
【００３９】
固定板１６の永久磁石１５側の端面は永久磁石１５に接触している。
【００４０】
固定板１６及び第１の鉄板１１ａのＹ軸方向の寸法は同じに設定されている。したがって、固定板１６及び第１の鉄板１１ａのＹ軸方向の端面は同一面内に位置する。
【００４１】
固定板１６のＺ軸方向の寸法と、一対の上下板１１ｂの間隔とは同じに設定されている。したがって、固定板１６のＺ軸方向の端面は、上下板１１ｂにおけるケース体１１内側の面に接触している。また、固定板１６の永久磁石１５とは反対側の面は、上下板１１ｂのＸ軸方向の端面と同一平面に位置する。
【００４２】
固定板１６は一対の上下板１１ｂに対して、カシメられて固定されている。これにより、コイル部材１２、第２の鉄板１３、非磁性部材１４及び永久磁石１５をケース体１１内に固定した状態で収容することができる。
【００４３】
これらのケース体１１、コイル部材１２、第２の鉄板１３、非磁性部材１４及び永久磁石１５により睡眠誘導装置４の振動体が構成される。
【００４４】
１７は可動鉄芯であり、この可動鉄芯１７はボビン１２ｃ内を移動する。可動鉄芯１７には、第１の小径部１７ｂと、第２の小径部１７ｃとが形成されており、可動鉄芯１７がボビン１２ｃ内に位置する状態で（図４参照）、第１の小径部１７ｂは第２の小径部１７ｃよりも第１の鉄板１１ａに近い領域に位置している。
【００４５】
なお、可動鉄芯１７のうち、第１及び第２の小径部１７ｂ、１７ｃを除いた部分は、これらの小径部１７ｂ、１７ｃよりも径寸法の大きい大径部１７ａにより形成されている
可動鉄芯１７ｃの大径部１７ａの径寸法は、ボビン１２ｃの内径寸法よりも小さく設定されており、可動鉄芯１７ｃ及びボビン１２ｃの間に形成された領域には、シリコンオイルを介在させている。また、可動鉄芯１７の外周面には、フッ素樹脂からなる低摩擦被膜が形成されている。
【００４６】
次に、図６を参照して、コイル１２ｂへの通電を制御する制御回路（通電制御回路）１４１について説明する。ここで、図６はコイル１２ｂへの通電を制御する制御回路のブロック図である。１４１ａはコイル１２ｂへの通電を制御するＣＰＵであり、１４１ｂは所定周波数のクロック信号をＣＰＵ１４１ａに供給する発振子である。１４１ｃはＣＰＵ１４１ａからの制御信号に基づきコイル１２ｂに電流を出力する出力回路である。
【００４７】
１４１ｄはリセット回路であり、電源をオンする場合に、電源電圧が正常に立ち上がり更に周辺回路が安定するまでＣＰＵ１４１ａをリセット状態に保持する。また、電源オフ時には瞬時にＣＰＵ１４１ａや周辺ロジックを初期状態に戻す。１４１ｅは電源電圧を、ＣＰＵ１４１ａ、出力調整回路１４１ｆ及び出力回路１４１ｃに分配する電源制御回路である。１４１ｃは出力調整回路であり、無段階ボリュームで出力の大きさを設定する。
【００４８】
１４１ｇは動作モード選択スイッチであり、この動作モード選択スイッチ１４１ｇを操作することにより、睡眠誘導装置４の振動パターンを選択することができる。
【００４９】
本実施形態では、デルタ帯域に属する信号を出力するデルタモードと、母親が赤子を寝かしつける時のたたき振動を擬似的に表現したマザーモードと、列車に揺られている時の心地よいレールの響きを擬似的に表現したトレインモード、これらの３つの振動パターンを選択できるようにしている。
【００５０】
各振動パターンの波形を図７に示しており、(ａ)がデルタモードであり、(ｂ)がマザーモードであり、(ｃ)がトレインモードである。デルタモードに設定された場合、出力される信号が脳波のデルタ波帯域に属する３．５ＨＺから０．７５ＨＺまで１８０秒の周期で漸減（第１の出力信号）するようになっている。
【００５１】
マザーモードに設定された場合、０．７５ＨＺの固定周波数の信号を出力（第２の出力信号）する。これにより、赤子を寝かしつける時の手の摩りに似た振動を使用者に与えている。
【００５２】
トレインモードに設定された場合、列車に乗車した時の間欠的な振動状態を擬似的に表現するために、コイル１２ｂに１５０ｍｓ通電→３００ｍｓ停止→コイル１２ｂに１５０ｍｓ通電→１０００ｍｓ停止、といった周期パターンでコイル１２ｂに通電するようになっている。
【００５３】
これにより、使用者３は目的や体調に応じた最適な振動パターンを選択することができる。なお、上記信号に１／ｆゆらぎのパターンで振動する１／ｆゆらぎ信号を重畳してもよい。また、本明細書において、「脳波のデルタ波帯域」とは、０．５HZから４．０HZまでの帯域を意味する。
【００５４】
１４１ｈはＣＰＵ１４１ａに対して動作開始及び停止を指示する動作開始／停止スイッチである。１４１ｉは動作時間選択スイッチであり、睡眠誘導装置４を振動させる時間を、３０分、１５分の２段階に調整できるようにしている。
【００５５】
次に、図５を参照しながら、睡眠誘導装置４の動作を説明する。まず、コイル１２ｂに電流を流す前の通電禁止状態における、可動鉄芯１７の位置を説明する。通電禁止状態において、可動鉄芯１７は第２の鉄板１３と固定板１６との間に生じる磁界により、永久磁石１５に吸引される（図５（ａ）参照）。
【００５６】
このとき、第２の小径部１７ｃは第２の鉄板１３よりも左側、つまり第１の鉄板１１ａ側に位置しており、第２の小径部１７ｃの右側の端部と第２の鉄板１３の左側の端面（第２のフランジ部１２ｅに接触している面）とが同一面内に位置している。
【００５７】
可動鉄芯１７の左側の端部は、第１の鉄板１１ａよりも右側、つまり第２の鉄板１３に近い領域に位置している。この図５（ａ）に図示する可動鉄芯１７の位置が特許請求の範囲に記載の第１の位置に相当する。
【００５８】
図５（ａ）に図示する状態で、コイル１２ｂに対して通電すると（通電を許可すると）、可動鉄芯１７の永久磁石１５側の端部がＮ極になり、可動鉄芯１７と永久磁石１５との間に生じる反発力とケース体１１と第２の鉄板１３との間に生じる吸引力とにより、可動鉄芯１７はボビン１２ｃ内を矢印Ａ方向（第１の鉄板１１ａ側）に移動する。
【００５９】
このとき、反作用によりケース体１１が振動し（可動鉄芯１７がケース体１１に対して相対移動し）、敷布団１を介して使用者３に振動を伝達することができる。この振動パターンは、図７の出力パターンに対応しているため、使用者３を睡眠に導く効果を得ることができる。
【００６０】
ここで、ケース体１１が振動したり、使用者３から睡眠誘導装置４に外力が加わることにより、ボビン１２ｃの周壁部に可動鉄芯１７が当接することもある。この場合、可動鉄芯１７とボビン１２ｃとの間にシリコンオイルを介在させているため、当接時に発生する当接音を抑制して、可動鉄芯１７をスムーズに動かすことができる。
【００６１】
また、同様に可動鉄芯１７の外周面をフッ素樹脂で覆っているため、当接時に発生する当接音を抑制して、可動鉄芯１７をスムーズに動かすことができる。これにより、当接音が睡眠の妨げとなる異音となって使用者３の聴覚に入音するのを防止できる。
【００６２】
矢印Ａ方向に移動した可動鉄芯１７は、図５（ｂ）に図示する位置に停止する。この図５（ｂ）に図示する位置が特許請求の範囲に記載の第２の位置に相当する。
【００６３】
具体的には、第１の小径部１７ｂの左側の端部は第１の鉄板１１ａよりも右側に位置しており、可動鉄芯１７の左側の端部（大径部ａの左側の端部）はボビン１２ｃ内に位置している（つまり、ケース体１１１ａから突出していない）。
【００６４】
次に、図８を参照しながら、可動鉄芯１７の抜けを防止する防止機能について説明する。ここで、図８は可動鉄芯の抜け防止機能を模式的示した模式図である
図８（ｂ）に図示するように、可動鉄芯１７が第２の位置に停止せずに、さらに左側に移動する場合（点線で示す）がある（例えば、使用者３により睡眠誘導装置４に外力が加わった場合が該当する）。この場合、第２の位置に可動鉄芯１７が位置する場合よりも、可動鉄芯１７と第１の鉄板１１ａとの間隔が拡大して、磁気抵抗が増加するため、可動鉄芯１７は第２の位置に復帰する。
【００６５】
このように、本実施形態では第１の小径部１７ｂを設けることにより可動鉄芯１７のボビン１２ｃからの抜けを防止している。また、通常のソレノイドのように、駆動端に可動鉄芯１７を停止させるための当接部材が無いため、睡眠の妨げとなる異音の発生を阻止することができる。
【００６６】
また、図８（ａ）に図示するように第１の位置に移動する可動鉄芯１７が第１の位置で停止せずに、さらに右側に移動する場合（点線で示す）もある（例えば、使用者３により睡眠誘導装置４に外力が加わった場合が該当する）。この場合、第１の位置に可動鉄芯１７が位置する場合よりも、可動鉄芯１７と第２の鉄板１３との間隔が拡大して、磁気抵抗が増加するため、可動鉄芯１７は第１の位置に復帰する。これにより、図８（ｂ）の場合と同様の効果を得ることができる。
（他の実施形態）
上述の実施形態では、睡眠誘導装置４を敷布団１に内在させたが、枕（寝具）２に内在させてもよい。さらに、睡眠誘導装置４を組み込んだシート体（寝具）を脚の下に敷いたり、脚に巻きつけたり、敷布団１と枕２との間に介在させてもよい。この場合シート体の位置を変えるだけで簡単に振動位置を変えることができる。したがって、各使用者３に適した振動位置を選択することができる。
（実施例）
実施例を示して、本発明の内容を具体的に説明する。表１に示すように、１０名の被験者（男性６名、女性４名、平均年齢３５．６歳）を対象として睡眠潜時試験を行った。本発明の睡眠誘導装置４を組み込んだマットレスの上に各被験者を寝せて、ＰＳＧ（睡眠ポリグラフ）記録装置ポリメイトを用いて睡眠潜時を測定した。記録方法と睡眠潜時の判定方法は、睡眠潜時反復試験（ＭＳＬＴ）に準じた。比較例は無振動の場合を示しており、実施例１は上述のリラックスモードを示しており、実施例２は上述のマザーモードを示しており、実施例３は上述のトレインモードを示している。
【００６７】
【表１】
2008194226.tif 000003
【００６８】
各振動パターンごとの１０名の平均入眠潜時を表２に示す。
【００６９】
【表２】
2008194226.tif 000004
【００７０】
比較例が１２．８分であり、実施例１が８．０分であり、実施例２が９．２分であり、実施例３が９．４分であった。これにより、本発明の睡眠誘導装置を用いることにより、高い入眠効果を得られることがわかった。グリンハウス−ガイザー修正を行った、繰り返しのある分散分析では、本睡眠誘導装置による入眠潜時への影響は有意で（ｐ＜０．０５）、ｔ検定によるその後検定では比較例と比較しリラックスモード（ｐ＜０．０１）、トレインモード（ｐ＜０．０５）で有意に入眠潜時が短縮していた。すなわち、危険率ｐ＝０．０１又は０．０５で有意と認められ、高い入眠効果を得られることがわかった。
【図面の簡単な説明】
【００７１】
【図１】寝具の平面図である。
【図２】睡眠誘導装置の斜視図である。
【図３】睡眠誘導装置の分解斜視図である。
【図４】図２の睡眠誘導装置のＡ−Ａ´断面図である。
【図５】睡眠誘導装置の動作説明図である。
【図６】コイルへの通電を制御する制御回路のブロック図である。
【図７】出力波形を示す波形図であり（ａ）がデルタモードであり、（ｂ）マザーモードであり、（ｃ）がトレインモードである。
【図８】可動鉄芯の抜け防止機能を模式的示した模式図である。
【符号の説明】
【００７２】
１  敷布団
２  枕
３  使用者
４  睡眠誘導装置
１１  ケース体
１１ａ  第１の鉄板
１１ｂ  上下板
１２  コイル部材
１２ａ  筒管
１２ｂ  コイル
１２ｃ  ボビン
１２ｄ  第１のフランジ部
１２ｅ  第２のフランジ部
１３  第２の鉄板
１３ａ  鉄板開口部
１４  非磁性部材
１４ａ  非磁性部材開口部
１５  永久磁石
１５ａ  永久磁石開口部
１５ｂ  Ｎ極部
１５ｃ  Ｓ極部
１６  固定板
１６ａ  固定板開口部
１７  可動鉄芯
１７ａ  大径部
１７ｂ  第１の小径部
１７ｃ  第２の小径部
１１１ａ  ケース貫通穴
１４１  制御回路
１４１ａ  ＣＰＵ
１４１ｂ  発振子
１４１ｃ  出力回路
１４１ｄ  リセット回路
１４１ｅ  電源制御回路
１４１ｆ  出力調整回路
１４１ｇ  動作モード選択スイッチ
１４１ｈ  動作開始／停止スイッチ
１４１ｉ  動作時間選択スイッチ
【図１】
2008194226.tif 000005
【図２】
2008194226.tif 000006
【図３】
2008194226.tif 000007
【図４】
2008194226.tif 000008
【図５】
2008194226.tif 000009
【図６】
2008194226.tif 000010
【図７】
2008194226.tif 000011
【図８】
2008194226.tif 000012